(57)【特許請求の範囲】
【請求項１】
カウンタウエイト(１)の後部上部面に固定され、複数本のLPGボンベ(４)を該LPGボンベ(４)の頭部に相当する側を車の前後方向において前側に、また該LPGボンベ(４)の脚部に相当する側を車の前後方向において後側に向けて取り付けるようにしたブラケット(２)であって、ブラケット(２)は車の前後方向に一定の幅を有し左右方向に適宜長さ延びる中央のベース部材(２１)と、この中央のベース部材(２１)の左右の端部に続いて一定長さ左右方向に延設される足場(２２)とにより形成されていて、一定長さ左右方向に延設される足場(２２)の寸法位置はカウンタウエイト(１)の後側の左右のテーパー部あるいは丸み部と重なるがカウンタウエイト(１)の左右の最側面から外側へはみ出さないようにしたことを特徴とするフォークリフトトラックのＬＰＧボンベ取り付け用ブラケット。
【請求項２】
中央のベース部材(２１)の左右の端部に続いて一定長さ左右方向に延設される足場(２２)は中央のベース部材(２１)に収納可能に設置されていて、作業時のみ引き出して使用するようにしたことを特徴とする請求項１記載のフォークリフトトラックのＬＰＧボンベ取り付け用ブラケット。
【発明の詳細な説明】
【０００１】
【発明の属する技術分野】
この発明は、フォークリフトトラックのカウンタウエイトの後部上部面に複数本のＬＰＧボンベを取り付けるときの取り付け用ブラケットに関する。
【０００２】
【従来の技術】
従来、ＬＰＧボンベはカウンタウエイトの後部上部面に載置され、通常ボンベ取り付け用ブラケットのベース部材はカウンタウエイト吊上用穴を利用して固定され、また、取り付け用ブラケットのベース部材寸法はカウンタウエイトの上部形状に一致させている。
【０００３】
【発明が解決しようとする課題】
しかし、近年の傾向としてカウンタウエイトの後部上部面の形状は、後方視界性が重視されて大きなテーパーあるいは丸みが付けられるようになり、ＬＰＧボンベの交換作業時に作業者が片足をカウンタウエイトの後部上部面に掛けると滑り易く、足場となる場所が無くなっている。この発明は安全にボンベ交換作業ができるように足場を確保することをその課題とするものである。
【０００４】
【課題を解決するための手段及び作用効果】
この発明は上記の課題に対処するためになされたもので、請求項１記載の発明は、カウンタウエイトの後部上部面に固定され、複数本のLPGボンベを該LPGボンベの頭部に相当する側を車の前後方向において前側に、また該LPGボンベの脚部に相当する側を車の前後方向において後側に向けて取り付けるようにしたブラケットであって、ブラケットは車の前後方向に一定の幅を有し左右方向に適宜長さ延びる中央のベース部材と、この中央のベース部材の左右の端部に続いて一定長さ左右方向に延設される足場とにより形成されていて、一定長さ左右方向に延設される足場の寸法位置はカウンタウエイトの後側の左右のテーパー部あるいは丸み部と重なるがカウンタウエイトの左右の最側面から外側へはみ出さないようにしたことを特徴とするフォークリフトトラックのＬＰＧボンベ取り付け用ブラケットとしている。
【０００５】
従って、ＬＰＧボンベの交換作業を行うとき、作業者の足場がしっかり確保されていて、安全に交換作業が遂行可能である。また、足場として設けた箇所は必要な一部分に限定して設けられているため、全体の視界性能は良好に確保されている。
【０００６】
請求項２記載の発明は、請求項１の発明において、中央のベース部材の左右の端部に続いて一定長さ左右方向に延設される足場は中央のベース部材に収納可能に設置されていて、交換作業時のみ引き出して使用するようにしたことを特徴としている。
【０００７】
左右の足場をブラケットの中央のベース部材の左右の端部に収納可能に設置するようにしたので、ＬＰＧボンベの交換作業を行なうときには、左右の足場はブラケットの中央のベース部材の側面からはみ出してきて足場となるが、ＬＰＧボンベの交換作業を行わないフォークリフトトラックを用いて荷役作業を行うときには、左右の足場はブラケットの中央のベース部材に収納されていて中央のベース部材の側面から何らはみ出していないので、カウンタウエイトの左右の上部面の後方視界性能は良好に確保されると共に、外観上の見映えと安全性の向上とを図ることができる。
【０００８】
【発明の実施の形態】
以下この発明の実施例について、図面により説明する。
図１はカウンタウエイトとカウンタウエイトの上部面に固定されているブラケットの中央のベース部材の上面に載置、固定されているＬＰＧボンベの後面図である。
図２はカウンタウエイトとカウンタウエイトの上部面に固定されているブラケットの中央のベース部材の上面に載置、固定されているＬＰＧボンベの上面図である。
図３はカウンタウエイトとカウンタウエイトの上部面に固定されているブラケットの中央のベース部材の上面に載置、固定されているＬＰＧボンベの側面図を示すと共に、作業員がブラケットの中央のベース部材の左右の端部に続いて延設してある足場と、ボンベ交換スタンドの上面にそれぞれ片足を載せて手動によりＬＰＧボンベの交換作業を行っている状況を示す側面図である。
図４は中央にベース部材を、そのベース部材の左右の端部に続いて延設してある足場を溶接固着したブラケットの上面図である。
図５は中央にベース部材を、そのベース部材の左右の端部に続いて延設してある足場を溶接固着したブラケットの側面図である。
【０００９】
図１の後面図において、カウンタウエイト１の上部面に設けられた吊上用穴１１を使用してブラケット２は固定ボルト３によりカウンタウエイト１の上部面に固定されている。ブラケット２は車の前後方向に一定の幅を有し左右方向に適宜長さ延びる中央のベース部材２１と、この中央のベース部材２１の左右の端部に続いて一定長さ左右方向に延設される足場２２とにより形成されている。ベース部材２１の左右の端部から一定長さだけ左右方向に延設される足場２２の寸法位置はカウンタウエイト１の後側の左右のテーパー部あるいは丸み部と重なるけれどもカウンタウエイト１の左右の最側面から外側へはみ出さないように形成されている。ブラケット２の中央のベース部材２１には複数個のボンベ固定装置５が取り付けられる。本発明の実施例においては２個の固定装置５により２本のＬＰＧボンベ４がブラケット２の中央のベース部材２１に取り付けられるようにされる。
図２の上面図において、ブラケット２の中央のベース部材２１の上面に２本のＬＰＧボンベ４が、ＬＰＧボンベ４の頭部に相当する側を車の前後方向において前側に、また、脚部に相当する側を車の前後方向において後側に向けてボンベ固定装置５により固定されるようにされている。また、ブラケット２の中央のベース部材２１の左右の端部に続いて一定長さ左右方向に延設される足場２２が形成されていて、この足場２２は文字通りＬＰＧボンベ４の交換作業のときに作業者が足を載せることができる平面板部となる。なお、一定長さ左右方向に延設される足場２２の寸法位置はカウンタウエイト１の後側の左右のテーパー部あるいは丸み部と重なるがカウンタウエイト１の左右の最側面から外側へはみ出さないようにされている。
【００１０】
図３の側面図において、ブラケット２はカウンタウエイト１に設けられた吊上用穴１１を使用して固定ボルト３によりカウンタウエイト１の上部面に固定されていること、カウンタウエイト１の上部面に固定されたブラケット２のベース部材２１の上面にＬＰＧボンベ４が、ＬＰＧボンベ４の頭部に相当する側を車の前後方向において前側に、また、脚部に相当する側を車の前後方向において後側に向けてボンベ固定装置５により載置、固定されていることが示されている。
また、図３は上記のように、ブラケット２の中央のベース部材２１の上面に固定されているＬＰＧボンベ４の固定をボンベ固定装置５により作業員が解除して、ブラケット２の中央のベース部材２１の左右の端部に続いて延設されている足場２２と、ボンベ交換スタンドの上面にそれぞれ片足を載せて手動によりＬＰＧボンベの交換作業を行っている状況を示している。
そしてまた、図４と図５に示したブラケット２の単体図においては、ベース部材２１に足場２２を両側溶接して取り付けたもので、足場２２は作業者が足を載せた時に総重量を支えると共に、滑らないようにするためにステップ鋼板などの滑り止めの性能をもたせ、縁に堰を回した構造などを採用したものとしている。
なお、足場２２の前後方向の幅は図４に示すようにベース部材２１の幅より少し小さなものとなる。
【００１１】
図１、図２、および図３を共に参照しながらＬＰＧボンベ交換作業について説明すると、まず、作業者はボンベ交換スタンドから足場２２へ片足を載せてＬＰＧボンベ固定装置５により取り付けられたＬＰＧボンベ４の固定具を緩め、古いＬＰＧボンベ４をボンベ交換スタンドに移動させ、そして、新しいＬＰＧボンベをボンベ交換スタンドに載せ、この新しいＬＰＧボンベを、また、作業者はボンベ交換スタンドから足場２２へ片足を載せてＬＰＧボンベを足場２２へ移動させ、新しいＬＰＧボンベを固定装置５により取り付けることにより、交換作業が完了となる。この場合満タンのボンベは６０Ｋｇを越える重量があり、地上から高い位置で力仕事をすることになるので、足場を確保しておくことは安全作業上欠かせない重要なポイントとなる。
なお、図１、図２、および図３を共に参照することにより明白のように、ベース部材の左右の端部に続いて限定した一定長さの足場２２を形成しても、これを設けたことによって後方視界に影響を与えることは殆どないものである。
【００１２】
更に本発明の実施例として図示はしてないが、この足場２２を引出型や揺動型の構造として、ボンベ交換時はベース部材から足場２２を引き出して使用し、交換時以外にはベース部材２１の中へ収納可能とすることによって、一層後方視界性の確保や安全性と外観上の良好を維持することができる。
【図面の簡単な説明】
【図１】カウンタウエイトとカウンタウエイトの上部面に固定されているブラケットの中央のベース部材の上面に載置、固定されているＬＰＧボンベの後面図である。
【図２】カウンタウエイトとカウンタウエイトの上部面に固定されているブラケットの中央のベース部材の上面に載置、固定されているＬＰＧボンベの上面図である。
【図３】  カウンタウエイトとカウンタウエイトの上部面に固定されているブラケットの中央のベース部材の上面に載置、固定されているＬＰＧボンベの側面図を示すと共に、作業員がブラケットの中央のベース部材の左右の端部に続いて延設してある足場と、ボンベ交換スタンドの上面にそれぞれ片足を載せて手動によりＬＰＧボンベの交換作業を行っている状況を示す側面図である。
【図４】  中央にベース部材を、そのベース部材の左右の端部に続いて延設してある足場を溶接固着したブラケットの上面図である。
【図５】  中央にベース部材を、そのベース部材の左右の端部に続いて延設してある足場を溶接固着したブラケットの側面図である。
【符号の説明】
１    カウンタウエイト
２    ブラケット
２１  ベース部材
２２  足場
３    固定ボルト
４    ＬＰＧボンベ
５    ボンベ固定装置
１１  吊上用穴
【図１】
0003626962.tif 000002
【図２】
0003626962.tif 000003
【図３】
0003626962.tif 000004
【図４】
0003626962.tif 000005
【図５】
0003626962.tif 000006